(57)【特許請求の範囲】
【請求項１】
前後フィルムの周囲をヒートシールしてなるパウチであって、前記ヒートシールの一部に開封方向と平行な直線状のスリットからなる開封起点を設けたパウチにおいて、前記スリットは、前記ヒートシールの外周より内部に位置し、かつ、前記スリットの、前記ヒートシールの外周部分の形状が、開封方向へと湾曲状の凸部からなる、開封箇所を容易に認識可能な形状であることを特徴とする、パウチ。
【請求項２】
前記スリットの、前記ヒートシールの外周部分の上下のタブ形状が、それぞれ、円弧状のタブ形状であることを特徴とする、請求項1記載のパウチ。
【請求項３】
前記パウチは、該パウチの底部分が、自立可能な底一体型ワンピースパウチであって、前記底部分の左右のヒートシールに、ポイントシールを形成したことを特徴とする、請求項1乃至２記載のパウチ。
【発明の詳細な説明】
【技術分野】
【０００１】
本発明は、前後フィルムの周囲をヒートシールしてなるパウチであって、前記ヒートシールの一部にスリットからなる開封起点を設けたパウチに関する。
【背景技術】
【０００２】
従来、主に飲料類やレトルト食品、詰め替え用の洗剤、あるいは無菌包装食品や医薬品等の内容物を密封包装した包装体（パウチ）が知られている。このようなパウチは、ヒートシール部分に形成された切欠き（ノッチ）を開封起点として、フィルムを水平方向へと引き裂き、パウチの開封を行なう構成である。（例えば、特許文献１）
【０００３】
通常、このようなパウチは、開封起点となる前記ノッチが、ヒートシールの外周部分に形成され、かつ前記ノッチは、フィルムを切り裂くための鋭利な凸状の切欠きであるため、誤ってパウチの外周に触れるだけで、鋭利な切欠き部分で指先を傷つけてしまう恐れがあった。（例えば、特許文献２）
【０００４】
また、比較的持ちやすい、パウチの上方端部をつまんだ状態で、パウチをぶら下げると、パウチの自重により、ヒートシールの外周に形成されている前記切り込みを起点に、パウチのフィルムが裂けてしまい、パウチが開封してしまうという問題があった。
【０００５】
このため、極力ノッチを小さく形成することにより、誤ってノッチで指先を傷つけてしまうことや、パウチが自然に開封してしまうことを防ぐことが考えられるが、小さなノッチとしてスリット等を形成した場合、パウチの開封箇所が認識しづらいという問題が生じてしまう。（例えば、特許文献３）
【０００６】
【特許文献１】特開２００６−０９６３８８号公報
【特許文献２】特開２００２−６８２１２号公報
【特許文献３】特開２００３−５４５８１号公報
【発明の開示】
【発明が解決しようとする課題】
【０００７】
このため、本発明のパウチは、主に、前後フィルムの周囲をヒートシールしてなるパウチであって、前記ヒートシール部分に工夫を講じることにより、パウチ開封時において、ノッチにより指先を傷つける恐れや、ノッチから自然に開封してしまうことを好適に防止するとともに、開封箇所を容易に認識可能な、パウチを提供することを課題とする。
【課題を解決するための手段】
【０００８】
上記課題を解決すべく、本発明の請求項１記載の発明は、前後フィルムの周囲をヒートシールしてなるパウチであって、前記ヒートシールの一部に開封方向と平行な直線状のスリットからなる開封起点を設けたパウチにおいて、前記スリットは、前記ヒートシールの外周より内部に位置し、かつ、前記スリットの、前記ヒートシールの外周部分の形状が、開封方向へと湾曲状の凸部からなる、開封箇所を容易に認識可能な形状であることを特徴とする、パウチである。
【０００９】
また、請求項２記載の発明は、前記スリットの、前記ヒートシールの外周部分の上下のタブ形状が、それぞれ、円弧状のタブ形状であることを特徴とする、パウチである。
【００１０】
また、請求項３記載の発明は、前記パウチは、該パウチの底部分が、自立可能な底一体型ワンピースパウチであって、前記底部分の左右のヒートシールに、ポイントシールを形成したことを特徴とする、パウチである。
【発明の効果】
【００１１】
本発明の請求項１記載の発明は、前後フィルムの周囲をヒートシールしてなるパウチであって、前記ヒートシールの一部に開封方向と平行な直線状のスリットからなる開封起点を設けたパウチにおいて、前記スリットは、前記ヒートシールの外周より内部に位置し、かつ、前記スリットの、前記ヒートシールの外周部分の形状が、開封方向へと湾曲状の凸部からなる、開封箇所を容易に認識可能な形状であるから、ノッチにより指先を傷つける恐れや、ノッチから自然に開封してしまうことを好適に防止することが可能である。
【００１２】
よって、パウチの初期開封を直感的かつ安全に行うことを可能とし、若年層から高齢層のみならず、健常者から障害者に至る多くの人が、安全に使用することが可能な、ユニバーサルデザイン性を有するパウチを提供することが可能である。
【００１３】
また、請求項２記載の発明は、前記スリットの、前記ヒートシールの外周部分の上下のタブ形状が、それぞれ、円弧状のタブ形状であるから、パウチの開封時に、円弧状のタブをつまみやすく、直感的にパウチの開封箇所を認識することが可能である。
【００１４】
また、請求項３記載の発明は、前記パウチは、該パウチの底部分が、自立可能な底一体型ワンピースパウチであって、前記底部分の左右のヒートシールに、ポイントシールを形成したことを特徴とするから、内容物が粉体等であっても、底部分の隅に内容物が詰まってしまうようなことがなく、また、底面一杯まで内容物を充填しても、底面のフィルムがよじれることなくきれいに開き、パウチを安定して自立させることが可能である。
さらには、前記底部分の左右のヒートシールにポイントシールを形成することにより、底部分のヒートシールが強固に施されるため、パウチの内容物が、液体等の比較的重量の重い内容物であっても、パウチを安定して自立させることが可能である。
【発明を実施するための最良の形態】
【００１５】
本発明のパウチ１０（パウチ１０）の一例としては、図１に示すように、前後フィルムの周囲をヒートシールしてなるパウチ１０であって、使用時において、ヒートシール６の一部分を切除することにより、パウチ１０を開封する構成である。
【００１６】
前記パウチ１０は、該パウチ１０の底面部分のフィルム形状が、前面と背面と底面とが、一体のフィルム形状からなる、スタンドパウチ（底一体スタンドパウチ）１０であって、内容物が粉体等であっても、底部分の隅に内容物が詰まってしまうようなことがなく、また、底面一杯まで内容物を充填しても、底面のフィルムがよじれることなくきれいに開くため、パウチ１０をより安定して自立させることが可能である。
【００１７】
このようなパウチ１０としては、スタンドパウチに限らず、後述する、ピロータイプのパウチや、ガゼットタイプのパウチなど、ヒートシール部分を有するパウチ１０であれば、パウチの種類や形状は限定されるものではない。
【００１８】
特に、本発明のパウチ１０は、パウチ１０の開封起点となる、切欠き等からなるノッチ１（開封起点１）を、従来のヒートシールの外周部分に形成することなく、ヒートシール６の外周より内部に（つなぎ部分２を介して）形成することにより、ヒートシールの外周部分に形成されたノッチ１や切り込み等で指先を傷つける恐れや、パウチがノッチ１を起点に自然に開封してしまうことを好適に防止することが可能である。
【００１９】
さらには、前記ヒートシール６の外周部分の形状が、開封方向へと湾曲状の凸部からなる、開封箇所を容易に認識可能な形状３であるから、ノッチ１を探すことなく、直感的にパウチの開封箇所を認識することが可能であり、パウチを容易に開封することが可能である。また、前記開封箇所の上下のタブ形状４，５が、それぞれ円弧状のタブ形状４，５であるから、直感的にパウチの開封箇所を認識することが可能であるばかりでなく、円弧状のタブ４，５をつまみやすく、さらにパウチ１０を容易に開封することが可能である。
【００２０】
以下に、本発明のパウチ１０の構成について説明する。
まず、本発明のパウチ１０は、図２（ａ）に示すように、底部分を除く、フィルムの周囲３方（上方、左方、右方）を、それぞれヒートシールしてなるパウチ１０であって、内容物の充填に伴い、パウチ１０の底部分が平面状の底部を形成してなる、自立可能なスタンドパウチ１０である。
【００２１】
前記パウチ１０は、パウチの開封箇所である、パウチ上方かつ左右のヒートシール６に、開封方向へと湾曲状の凸部からなる、開封箇所を容易に認識可能な形状３を有しており、直感的にパウチの開封箇所を認識することが可能である。
また、パウチの開封時に、パウチをつまむためのタブ形状が、それぞれ、円弧状のタブ形状４，５を有しており、パウチの開封時に、円弧状のタブ４，５をつまみやすく、さらに直感的にパウチの開封箇所を認識することが可能である。
【００２２】
特に、スリットからなる前記ノッチ１は、図２（ｂ）に示すように、ヒートシール６の外周より内部に形成されている。すなわち、前記ノッチ１は、開封箇所の前記湾曲状の凸部３より、距離ｄのヒートシール部分からなるつなぎ部分２を介して、切欠きからなるノッチ１が形成されており、後述する、パウチの開封時において、上下のタブ４，５をつまんでねじることにより、まず、前記つなぎ部分２が破断し、その後、ノッチ１を起点にフィルムを切除する構成である。
【００２３】
例えば、パウチ１０の開封時において、図３（ａ）に示すように、上下のタブ４，５をそれぞれ反対方向へとねじるようにして力Ｆ、Ｆ'を加えることによりパウチ１０を開封するが、このとき、図３（ｂ）に示すように、前記つなぎ部分２に、斜め方向の力ｆ、ｆ'が働くこととなる。よって、前記つなぎ部分２が、上下のタブ４，５をねじることで容易に切除され、さらに、前記ノッチ１を起点にフィルムを切り取ることが可能である。
【００２４】
特に、本発明のパウチ１０の開封箇所３は、鋭利若しくは角状の凸部ではなく、大きな湾曲形状３であるから、誤って開封箇所３に指先が当接しても、指先を傷つけてしまう恐れがなく安全であり、かつ、大きな湾曲形状からなる開封箇所３を視覚的に訴える効果がある。また、前記上下のタブを円弧状のタブ４，５とすることにより、上方のタブ４から開封箇所３および下方のタブ５にかけて、連続的に波打つ形状のシールラインが形成されるため、意匠性のみならず、高い安全性、視認性を有する開封箇所３を形成することが可能である。
【００２５】
前記つなぎ部分２の前記距離ｄ（幅ｄ）は、後述する、各種フィルムの構成により、適宜選定することが望ましく、例えば、積層フィルムの構成が、ＰＥＴフィルム（１２μｍ）／ＯＮフィルム（１５μｍ）／接着剤／ＬＬＤＰＥ（直鎖状低密度ポリエチレン）フィルム（５０μｍ）の場合、前記つなぎ部分２の幅ｄは１ｍｍ以下とすることが望ましく、特に、０．５ｍｍの幅ｄとすることが望ましい。
【００２６】
また、前記積層フィルムが、ＰＥＴフィルム（１２μｍ）／Ａｌフィルム（７μｍ）／ＬＬフィルム（５０μｍ）の場合、前記つなぎ部分２の幅は、１ｍｍ乃至１．５ｍｍであることが望ましく、さらには、前記積層フィルムの構成が、ＯＰＰ（二軸延伸フィルム）／ＬＬの場合、前記つなぎ部分２の幅は、２ｍｍであることが望ましい。
【００２７】
このように、前記つなぎ部分の幅ｄは、フィルムの材質によって適宜調節することが望ましく、フィルムの材質によって、前記つなぎ部分の幅ｄは、０．２ｍｍ〜２．０ｍｍとすることが望ましい。これにより、パウチの開封時において、前記つなぎ部分２を容易に切除することが可能である。また、前記ノッチ１は、スリットに限らず貫通孔であってもよく、さらには、水平形状に限らず、開封方向によって、種々形状からなるノッチ１を形成することが可能である。
【００２８】
以下に、本発明のパウチ１０を開封する構成について説明する。
まず、パウチ１０を開封する際には、図４に示すように、上下のタブ４，５をそれぞれ左右の手の指先でつまみ、湾曲状の凸部方向へと、それぞれ反対方向へとねじるようにして力Ｆ、Ｆ'を加える構成である。特に、上下の円弧状のタブ４，５と、湾曲状の凸部３と、により、直感的にパウチの開封箇所および開封方向を認識することが可能である。
【００２９】
そして、上下のタブ４，５をねじることにより、図５に示すように、ヒートシール６の前記つなぎ部分２が切除されて、ヒートシール内部のノッチ１に達することとなる。特に、つなぎ部分２が切除されることにより、プチッという音（聴感）とともにフィルムを切除した感覚（触感）が伝わるため、パウチの開封を直感的に認識することが可能である。
【００３０】
そして、上方のタブ４をつまみ、開封方向へと引き裂くことにより、ノッチ１を起点にフィルムが切除され、以後、図６に示すように、切り取り線７に沿ってフィルムを容易に切除することが可能であり、パウチ上方のヒートシール部分を取り除いて、パウチ１０を容易に開封することが可能である。
【００３１】
さらには、パウチ１０の使用時において、図７に示すように、凹凸嵌合されてなるジッパ８を開封することにより、パウチ１０に開口９を形成して、該開口９から内容物を取り出すことが可能である。また、再びジッパ８を閉封することで、パウチ１０を密封することが可能である。
【００３２】
このように、本発明のパウチ１０は、パウチ１０の初期開封を、直感的かつ安全に行うことが可能であり、若年層から高齢層のみならず健常者から障害者に至る多くの人が安全に使用可能な、ユニバーサルデザイン性を有するパウチ１０を提供することが可能である。
【００３３】
特に、開封起点となるノッチ１が、ヒートシールの外周部分に形成されることなく、ヒートシール部分の内部に形成されており、ノッチ１で指先を傷つけてしまう恐れがない。さらには、従来のノッチは、上方のタブをつまんだ状態で、パウチを持つと、ヒートシール外周のノッチを起点にフィルムが裂けてしまい、パウチが自然に開封してしまう恐れがあった。これに対して、本発明のパウチ１０は、ヒートシール部分６からなるつなぎ部分２を介して、ノッチ１が形成されており、たとえ、上方のタブ４をつまんだ状態でパウチ１０を持っても、パウチ１０がノッチ１を起点に開封してしまうことがない。
【００３４】
以上のように、本発明のパウチ１０は、前後フィルムの周囲をヒートシールしてなるパウチ１０であって、前記ヒートシール６の一部に開封方向と平行な直線状のスリットからなる開封起点１を設けたパウチにおいて、前記スリットは、前記ヒートシール６の外周より内部に位置し、かつ、前記スリットの、前記ヒートシール６の外周部分の形状が、開封方向へと湾曲状の凸部からなる、開封箇所を容易に認識可能な形状３であるから、ノッチにより指先を傷つける恐れや、ノッチから自然に開封してしまうことを好適に防止することが可能である。
特に、前記ヒートシール６の外周部分の形状が、開封方向へと湾曲状の凸部からなる、開封箇所を容易に認識可能な形状３であるから、ノッチ１を探すことなく、直感的にパウチの開封箇所を認識することが可能であり、パウチ１０を容易に開封することが可能である。
【００３５】
よって、パウチ１０の初期開封を直感的かつ安全に行うことを可能とし、若年層から高齢層のみならず、健常者から障害者に至る多くの人が、安全に使用することが可能な、ユニバーサルデザイン性を有するパウチ１０を提供することが可能である。
【００３６】
さらには、前記切欠き１の、前記ヒートシールの外周部分の上下のタブ形状４，５が、それぞれ、円弧状のタブ形状４，５であるから、パウチの開封時に、円弧状のタブ４，５をつまみやすく、また、直感的にパウチの開封箇所を認識することが可能である。
【００３７】
本発明のパウチ１０の好適な用途の一例としては、例えば、詰め替え用のシャンプーや洗剤、レトルト食品や飲料用の容器、さらには、紙にアルミを蒸着したシップ用の包装材など、パウチの「開封性」および「安全性」を向上することが可能な容器形態であれば、パウチ１０の用途は、特に限定されるものではない。
【００３８】
また、前記パウチ１０としては、図８に示すように、底一体スタンドパウチ（ワンピースパウチ）の底部分の左右のヒートシール６に、ポイントシール１１を形成してもよく、これにより、パウチ１０の自立安定性を向上することが可能である。
【００３９】
すなわち、前記ワンピースパウチ１０は、底部分のフィルムが、断面視でＷ形状に折り込まれており（図中、底部点線部分）、内側のフィルムが開放することで、図９に示すように、パウチの底部分を形成する構成である。しかしながら、底部分の左右のヒートシール６は、４枚のフィルムをヒートシールする必要がある。
【００４０】
そこで、内側の２枚のフィルムに切欠き１１を形成してヒートシール（ポイントシール１１）を施すことで、外側の２枚のフィルムを直接貼り合わせることが可能であり、特に、底部分が開く際の基端部分が、強固にヒートシールされることとなり、パウチ１０の自立安定性を向上することが可能である。よって、パウチの内容物が、液体等の比較的重量の重い内容物であっても、パウチを安定して自立させることが可能である。
【００４１】
さらに、前記パウチ１０としては、上記スタンドパウチパウチの底面が、前面と背面と一体のフィルムからなる底一体スタンドパウチに限らず、図１０（ａ）に示すように、ピロータイプのパウチであってもよく、背貼り部分を有するパウチであってもよい。
また、図１０（ｂ）に示すように、スタンドパウチの底面は、従来より用いられる底形状５０であってもよく、左右に折り込み部分を有するガゼットタイプのスタンドパウチであってもよい。何れにせよ、フィルムの外周をシールしてなるパウチ１０であればよく、パウチの形態や、開封箇所の形成箇所は、特に限定されるものではない。さらには、前記開封箇所としての円弧状のタブ４，５は、左右何れか一方にのみ形成してもよく、前記切り取り線７や前記ジッパ８は、使用形態に合わせて適宜形成すればよい。
【００４２】
また、前記湾曲状の凸部形状３は、上記例に限らず、印刷により湾曲形状の模様を施してもよく、さらには、矢印の形状など、直感的にパウチの開封方向を認識可能な形状であれば、適宜形状を用いることが可能である。何れにせよ、つなぎ部分２を介してヒートシールの内部にノッチ１を有する構成であればよく、ノッチ１により指先を傷つける恐れや、ノッチ１から自然に開封してしまうことを好適に防止することが可能であり、さらには、従来同様に、開封箇所のヒートシール部分をつまんで、パウチ１０を開封することが可能であればよい。
【００４３】
本発明のパウチ１０に用いるフィルムは、主にプラスチックフィルムを主体とする積層フィルムが用いられ、例えば、液体を含む各種食品用パウチに用いられる、従来公知の積層フィルムを用いることが可能である。
【００４４】
前記積層フィルムの構成としては、充填される流動食の種類や充填後の加圧加熱殺菌時に加えられる加熱条件などによって適宜選定することができ、好適に用いられる前記積層フィルムの一例として、以下に示す構成の積層フィルムが挙げられる。
【００４５】
（１） ＰＥＴフィルム／接着剤／アルミニウム箔／接着剤／ＯＮフィルム／接着剤／ＣＰＰフィルム（シーラント層）
（２）ＰＥＴフィルム／接着剤／ＯＮフィルム／接着剤／アルミニウム箔／接着剤／ＣＰＰフィルム（シーラント層）
（３）ＰＥＴフィルム／接着剤／ＥＶＯＨフィルム／接着剤／ＯＮフィルム／接着剤／ＣＰＰフィルム（シーラント層）
（４）ＰＥＴフィルム／接着剤／一軸延伸ＰＰフィルム／接着剤／アルミニウム箔／接着剤／ＣＰＰフィルム（シーラント層）
（５）ＰＥＴフィルム／接着剤／（シリカまたはアルミナ蒸着層）ＯＮフィルム／接着剤／ＣＰＰフィルム（シーラント層）
【００４６】
上記構成において、ＰＥＴフィルムは２軸延伸ポリエチレンテレフタレートフィルム、ＯＮフィルムは２軸延伸ナイロンフィルム、ＰＰフィルムはポリプロピレンフィルム、ＣＰＰフィルムは無延伸ポリプロピレンフィルム、ＥＶＯＨフィルムはエチレン−酢酸ビニル共重合体ケン化物フィルム、（シリカまたはアルミナ蒸着層）ＯＮフィルムはシリカまたはアルミナを蒸着した２軸延伸ナイロンフィルムを指すものである。
【００４７】
前記ＰＥＴフィルムやＯＮフィルムは、基材フィルムとして作用し、パウチに機械的強度のほか耐熱性、印刷適性などを付与する。また、中間層のアルミニウム箔、ＥＶＯＨフィルム、（シリカまたはアルミナ蒸着層）ＯＮフィルムは、パウチにガスバリヤー性を付与することが可能である。一軸延伸ＰＰフィルムは、本発明のパウチ１０では、その延伸方向がパウチ１０を開封するための前記切り取り線７の方向と一致するように積層することにより、フィルムを切除する際、切り取り線７に沿って容易に引き裂いて開封できるようになる。
【００４８】
そして、最内層のＣＰＰフィルムは、ヒートシール用のシーラント層として作用すると共に、耐熱性、低臭性に優れるので、パウチごと加圧加熱殺菌される流動食用のパウチには好ましく用いられる。尚、上述した各フィルム材と同様な作用効果を有するものであれば、前記の積層構成に限定されるものではなく、適宜変更して使用することができる。
【００４９】
以上のように、本発明のパウチ１０は、前後フィルムの周囲をヒートシールしてなるパウチ１０であって、前記ヒートシール６の一部に開封方向と平行な直線状のスリットからなる開封起点１を設けたパウチにおいて、前記スリットは、前記ヒートシール６の外周より内部に位置し、かつ、前記スリットの、前記ヒートシール６の外周部分の形状が、開封方向へと湾曲状の凸部からなる、開封箇所を容易に認識可能な形状３であるから、ノッチにより指先を傷つける恐れや、ノッチから自然に開封してしまうことを好適に防止することが可能である。よって、パウチ１０の初期開封を直感的かつ安全に行うことを可能とし、若年層から高齢層のみならず、健常者から障害者に至る多くの人が、安全に使用することが可能な、ユニバーサルデザイン性を有するパウチ１０を提供することが可能である。
【図面の簡単な説明】
【００５０】
【図１】本発明のパウチの一例を示す説明図である。
【図２】本発明のパウチの一例を示す説明図である。  （ａ）パウチの正面図である。  （ｂ）パウチの開封箇所を示す一部拡大図である。
【図３】本発明のパウチの一例を示す説明図である。  （ａ）パウチを示す説明図である。  （ｂ）パウチの開封箇所を示す一部拡大説明図である。
【図４】パウチの初期開封時を示す説明図である。
【図５】パウチの初期開封時を示す説明図である。
【図６】パウチの初期開封時を示す説明図である。
【図７】開封後のパウチを示す説明図である。
【図８】本発明のパウチの一例を示す説明図である。
【図９】本発明のパウチの一例を示す説明図である。
【図１０】本発明のパウチの一例を示す説明図である。    （ａ）ピローパウチの一例を示す図である。    （ｂ）スタンドパウチの一例を示す図である。
【符号の説明】
【００５１】
１ スリット（ノッチ）
２ つなぎ部分（ヒートシール部分）
３ 湾曲状の凸部（開封箇所）
４ タブ（上方のタブ）
５ タブ（下方のタブ）
６ ヒートシール
７ 切り取り線
８ ジッパ
９ 開口
１０ パウチ（包装体）
１１ ポイントシール
【図１】
0005332233.tif 000002
【図２】
0005332233.tif 000003
【図３】
0005332233.tif 000004
【図４】
0005332233.tif 000005
【図５】
0005332233.tif 000006
【図６】
0005332233.tif 000007
【図７】
0005332233.tif 000008
【図８】
0005332233.tif 000009
【図９】
0005332233.tif 000010
【図１０】
0005332233.tif 000011